(57)【特許請求の範囲】
【請求項１】
液晶パネルと、前記液晶パネルの背面側に設けられ前記液晶パネル用の照明手段から出射される光を前記液晶パネルへ導く光偏向パターンが施された導光板とを有する液晶表示装置と、
前記液晶表示装置の背面側に配置され、複数の識別情報が配列されたリールを複数個並設した変動表示装置とを備え、
前記導光板の前記リールが対向する部位には、前記導光板を貫通する切り抜き又は前記リールに面した側から凹部が形成され、前記切り抜き又は前記凹部には、前記光偏向パターンが施されておらず、前記切り抜き又は前記凹部の端面には、前記照明手段からの光を出射するための光散乱加工が施されており、前記切り抜き又は前記凹部の端面から前記液晶パネルへの光の出射度は、前記光偏向パターンが施された領域から前記液晶パネルへの光の出射度と同程度であることを特徴とする遊技機。
【発明の詳細な説明】
【技術分野】
【０００１】
本発明は、リールを複数配列して構成した変動表示装置とは別に、液晶表示装置を備えた、パチスロ機、パチンコ機その他の遊技機に関する。
【背景技術】
【０００２】
例えば、パチスロ機は、正面の表示窓内に複数の図柄を変動表示するリールを複数配列して構成した機械的変動表示装置、或いはリール上の図柄を画面に表示する電気的変動表示装置を有する。遊技者のスタート操作に応じて、制御手段が変動表示装置を駆動制御して各リールを回転させることにより、図柄を変動表示させ、一定時間後自動的に或いは遊技者の停止操作により、各リールの回転を順次停止させる。このとき、表示窓内に現れた各リールの図柄が特定の組合せ（入賞図柄）になった場合にメダル、又はコイン等の遊技媒体を払出すことで遊技者に利益を付与する。
【０００３】
また、現在主流の機種においては、有効化された入賞ライン（以下「有効ライン」という）に沿って所定の図柄の組合せが並び、メダル、コイン等が払出される入賞が成立するためには、内部的な抽選処理（以下「内部抽選」という）により役に当選（以下「内部当選」という）し、且つその内部当選した役（以下「内部当選役」という）の入賞成立を示す図柄組合せを有効ラインに停止できるタイミングで遊技者が停止操作を行うことが要求される。つまり、いくら内部当選したとしても、遊技者の停止操作のタイミングが悪いと内部当選役の入賞を成立させることができない。すなわち、停止操作をタイミングよく行う技術が要求される（「目押し」といわれる技術介入性の比重が高い）遊技機が現在の主流である。
【０００４】
また、遊技操作の技量の低い遊技者であっても興味を持って遊技を行うことができるように、遊技者の目押しに関する技量に基づいて、特定図柄の組合せを変動表示の停止時に有効ラインに沿って並ばせるために必要な図柄、あるいはメッセージを、機械的変動表示装置とは別に設けられる液晶表示装置に表示する遊技機が提供されている（特許文献１、参照）。
【０００５】
このような従来の遊技機には、遊技の入賞形態に応じた図柄組合せに関してリールを用いて各列に停止表示する機械的変動表示装置とは別に、ゲームの演出効果を高めるために、正面から見てリールの前面に配設され、リール表示窓の領域外から領域内に至る画像を表示し、リール図柄と重ねて表示する液晶表示装置が備わっている。
【０００６】
このとき用いられる液晶表示装置は、光を液晶パネルに導くために裏面に光偏向パターンが施された導光板を備えている。この導光板のリール対向部位（以下、リール窓部という）には、光が透過するようにするため光偏向パターンが施されていない。このリール窓部を介してリールの図柄を遊技者が視認する構成となっている。また導光板の上下には導光板へ光を照射するための冷陰極管が配置されている。
【０００７】
上記液晶表示装置の液晶パネル用のバックライトは、冷陰極管からなる発光手段と、冷陰極管からの光を液晶パネルに導くための光偏向パターンが施された導光板とにより構成されるが、この導光板のリール対向部位（以下、リール窓部という）は、遊技者側から導光板の奥に位置するリール上の図柄を明瞭に見られるように光偏向パターンを施さずに透過領域としている。このため、このリール窓部は光偏向パターンがないことからバックライトがない状態となり、液晶パネルの表示が暗くみえるという問題が起こり得るが、この対応策として、冷陰極管に代わる補助光としてリール窓部上下に蛍光管を配置している。
【特許文献１】特開２００２−１４３３７７号公報（段落００５３、図４、参照）
【発明の開示】
【発明が解決しようとする課題】
【０００８】
以上のような従来の遊技機では、液晶パネルの上下に配置しているバックライト用の冷陰極管とは別に、リール窓部を照らす蛍光管を必要とするため、装置が複雑になり、コストアップの要因ともなっていた。
【０００９】
そこで本発明は、リール窓部の光量不足を、単純な構造で防止する遊技機を提供することを目的としている。
【課題を解決するための手段】
【００１５】
また、本発明の特徴は、液晶パネルと、前記液晶パネルの背面側に設けられ前記液晶パネル用の照明手段から出射される光を前記液晶パネルへ導く光偏向パターン（例えば、光偏向パターンＡ）が施された導光板とを有する液晶表示装置と、前記液晶表示装置の背面側に配置され、複数の識別情報が配列されたリールを複数個並設した変動表示装置とを備え、前記導光板の前記リールが対向する部位には、前記導光板を貫通する切り抜き又は前記リールに面した側から凹部が形成され、前記切り抜き又は前記凹部には、前記光偏向パターンが施されておらず、前記切り抜き又は前記凹部の端面には、前記照明手段からの光を出射するための光散乱加工が施されており、前記切り抜き又は前記凹部の端面から前記液晶パネルへの光の出射度（例えば、単位面積当たりの液晶パネル１７３への光の出射量）は、前記光偏向パターンが施された領域から前記液晶パネルへの光の出射度と同程度であることを要旨とする。
【００１６】
本発明によれば、光散乱加工が施された、切り抜き（リール窓部４０Ｌ、４０Ｃ、４０Ｒ）の端面から液晶パネルへの光の出射度は、光偏向パターンが施された領域から液晶パネルへの光の出射度と同程度であるので、リールに対応する領域における液晶表示の明るさと、それ以外の領域における液晶表示の明るさが同程度となり、液晶表示における明るさの均一化を図ることができる。
【発明の効果】
【００１７】
以上説明したように本発明によれば、液晶パネル用の照明手段から出射される光が、切り抜き部の端面に施された光散乱加工により散乱され、リール窓部の光量不足を防止できる遊技機を提供することが可能となる。
【発明を実施するための最良の形態】
【００１８】
以下、本発明の実施の形態を図示例と共に説明する。図１から図６は、発明を実施する形態の一例であって、図中、図と同一または類似の符号を付した部分は同一物または相当物を表わし、重複した説明は省略する。
【００１９】
図１は、本発明の実施の形態の遊技機１の外観を示す正面斜視図である。遊技機１は、いわゆる「パチスロ機」である。この遊技機１は、コイン、メダル、遊技球又はトークンなどの他、遊技者に付与された、もしくは付与される遊技価値の情報を記憶したカード等の遊技媒体を用いて遊技する遊技機であるが、以下ではメダルを用いるものとして説明する。
【００２０】
遊技機１の全体を形成しているキャビネット２の正面には、略垂直面としてのパネル表示部２ａが形成され、その中央には縦長矩形の左リール表示窓４Ｌ、中リール表示窓４Ｃ、右リール表示窓４Ｒが設けられる。左リール表示窓４Ｌ、中リール表示窓４Ｃ、右リール表示窓４Ｒには、入賞ラインとして水平方向にトップライン８ｂ、センターライン８ｃ及びボトムライン８ｄ、斜め方向にクロスダウンライン８ａ及びクロスアップライン８ｅが設けられている。これらの入賞ラインは、後述の１−ＢＥＴボタン１１、２−ＢＥＴボタン１２、最大ＢＥＴボタン１３を操作すること、或いはメダル投入口２２にメダルを投入することにより、それぞれ１本、３本、５本が有効化される。どの入賞ラインが有効化されたかは、後で説明するＢＥＴランプ９ａ、９ｂ、９ｃの点灯で表示される。ここで、入賞ライン８ａから８ｅは、役の入賞の成否に関わる。
【００２１】
すなわち、所定の役（例えば、後述の「チェリーの小役」）に対応する一の図柄（例えば、後述の“チェリー図柄９７”）がいずれかの有効化された入賞ラインに対応する所定の位置（例えば、後述のＢＥＴ数が“３”であれば左リール表示窓４Ｌ内の位置）に停止表示されること、又は所定の役に対応する図柄組合せを構成する図柄がいずれかの有効化された入賞ラインに対応する所定の位置に並んで停止表示されることにより、所定の役の入賞が成立することとなる。
【００２２】
キャビネット２の内部には、各々の外周面に複数種類の図柄によって構成される図柄列が描かれた３個のリール３Ｌ、リール３Ｃ、リール３Ｒが回転自在に横一列に設けられ、変動表示手段を形成している。各リールの図柄は左リール表示窓４Ｌ、中リール表示窓４Ｃ、右リール表示窓４Ｒを通して遊技者が観察できる。各リールは、定速回転時の回転速度として例えば、毎分８０回転で回転する。
【００２３】
左リール表示窓４Ｌ、中リール表示窓４Ｃ、右リール表示窓４Ｒの左側には、１−ＢＥＴランプ９ａ、２−ＢＥＴランプ９ｂ、最大ＢＥＴランプ９ｃ、クレジット表示部１９が設けられる。１−ＢＥＴランプ９ａ、２−ＢＥＴランプ９ｂ及び最大ＢＥＴランプ９ｃは、一のゲームを行うために賭けられたメダルの数（以下「ＢＥＴ数」という）に応じて点灯する。ここで、本実施の形態では、一のゲームは、全てのリールが停止したときに終了する。１−ＢＥＴランプ９ａは、ＢＥＴ数が“１”で１本の入賞ラインが有効化されたときに点灯する。２−ＢＥＴランプ９ｂは、ＢＥＴ数が“２”で３本の入賞ラインが有効化されたときに点灯する。最大ＢＥＴランプ９ｃは、ＢＥＴ数が“３”で全て（５本）の入賞ラインが有効化されたときに点灯する。クレジット表示部１９は、７セグメントＬＥＤで構成し、貯留されているメダルの枚数を表示する。
【００２４】
左リール表示窓４Ｌ、中リール表示窓４Ｃ、右リール表示窓４Ｒの右側には、告知ランプ（いわゆるＷＩＮ点灯ランプ）１７及び払出表示部１８が設けられる。告知ランプ１７は、基本的に、ＢＢ又はＲＢの入賞成立が実現可能となった後、ＢＢ又はＲＢの入賞が成立するまでの間、点灯する。ここで、ＢＢ及びＲＢを総称して、以下「ボーナス」という。払出表示部１８は、７セグメントＬＥＤで構成し、入賞成立時のメダルの払出枚数を表示する。
【００２５】
ここで、ＢＢ、ＲＢとは以下のようなものである。現在主流の機種は、複数種類の入賞態様を有する。特に、ある役の入賞が成立したときは、１回のメダルの払出しに終わらず、所定期間、通常の状態よりも条件の良い遊技状態となる。このような役として、遊技者に相対的に大きい利益を与えるゲームを所定回数行える役と、遊技者に相対的に小さい利益を与えるゲームを所定回数行える役とがある。前者を「ビッグボーナス」と称し、以下「ＢＢ」と略記する。後者を「レギュラーボーナス」と称し、以下「ＲＢ」と略記する。
【００２６】
パネル表示部２ａの左側上部には、ボーナス遊技情報表示部２０が設けられる。ボーナス遊技情報表示部２０は、７セグメントＬＥＤで構成し、後述するＢＢ一般遊技状態におけるゲームの回数等を表示する。左リール表示窓４Ｌ、中リール表示窓４Ｃ、右リール表示窓４Ｒの下方には水平面の台座部１０が形成され、その台座部１０と左リール表示窓４Ｌ、中リール表示窓４Ｃ、右リール表示窓４Ｒとの間には液晶表示装置２７が設けられている。この液晶表示装置２７の略全面には、遊技に関連する情報等が表示される。
【００２７】
液晶表示装置２７の右側にはメダル投入口２２が設けられ、液晶表示装置２７の左側には、１−ＢＥＴボタン１１、２−ＢＥＴボタン１２、及び最大ＢＥＴボタン１３が設けられる。１−ＢＥＴボタン１１は、１回の押し操作により、クレジットされているメダルのうちの１枚がゲームに賭けられ、２−ＢＥＴボタン１２は、１回の押し操作により、クレジットされているメダルのうちの２枚がゲームに賭けられ、最大ＢＥＴボタン１３は、１回のゲームに賭けることが可能な最大枚数のメダルが賭けられる。これらのＢＥＴスイッチを操作することで、前述のとおり、所定の入賞ラインが有効化される。
【００２８】
台座部１０の前面部の左寄りには、遊技者がゲームで獲得したメダルのクレジット／払出しを押しボタン操作で切り換えるＣ／Ｐスイッチ１４が設けられている。このＣ／Ｐスイッチ１４の切り換えにより、正面下部のメダル払出口１５からクレジットされていたメダルが払出され、払出されたメダルはメダル受け部１６に溜められる。Ｃ／Ｐスイッチ１４の右側には、遊技者の操作により上記リールを回転させ、左リール表示窓４Ｌ、中リール表示窓４Ｃ、右リール表示窓４Ｒ内での図柄の変動表示を開始するためのスタートレバー６が所定の角度範囲で回動自在に取り付けられている。
【００２９】
キャビネット２の上方の左右には、スピーカ２１Ｌ、２１Ｒが設けられ、その２台のスピーカ２１Ｌ、２１Ｒの間には、入賞図柄の組合せ及びメダルの配当枚数等を表示する配当表パネル２３が設けられている。台座部１０の前面部中央で、液晶表示装置２７の下方位置には、３個の左リール３Ｌ、中リール３Ｃ、右リール３Ｒの回転をそれぞれ停止させるための３個のリール停止ボタン（停止操作手段）７Ｌ、７Ｃ、７Ｒが設けられている。
【００３０】
なお、遊技機１は、停止ボタン７Ｌ、７Ｃ、７Ｒを設けない構成とすることもできる。かかる場合、遊技者によるスタートレバー６の操作に応じて変動表示を開始する各リール３Ｌ、３Ｃ、３Ｒは、当該変動表示の開始から所定の時間経過後、自動的に順次停止する。
【００３１】
また、リール停止ボタン７Ｒの右側には、液晶表示装置２７に表示するメニュー画面の切替え手段としてのスクロールスイッチ２００を設け、上スクロールスイッチ２００ａ及び下スクロールスイッチ２００ｂによりメニューを切替えることができる。
【００３２】
図２は、本実施の形態に用いる各左リール３Ｌ、中リール３Ｃ、右リール３Ｒに表わされた複数種類の図柄が２１個配列された図柄列を示している。各図柄には“００”から“２０”のコードナンバーが付され、データテーブルとして後述するＲＯＭ３２（図３、参照）に格納（記憶）されている。左リール３Ｌ、中リール３Ｃ、右リール３Ｒ上には、“赤７図柄９１”、“青７図柄９２”、“ＢＡＲ図柄９３”、“ベル図柄９４”、“プラム図柄９５”、“Ｒｅｐｌａｙ図柄９６”及び“チェリー図柄９７”の図柄で構成される図柄列が表わされている。左リール３Ｌ、中リール３Ｃ、右リール３Ｒは、図柄列が図中左に示す下矢印方向に移動するように回転駆動される。
【００３３】
次に、図３は、液晶表示装置２７の概略構成を示す分解斜視図である。液晶表示装置２７は、前面に設けた第１層目の保護ガラス１７１の裏面に、第２層目の表示板１７２を配置し、この表示板１７２の裏面に第３層目の液晶パネル１７３を配置し、この液晶パネル１７３の裏面に第４層目の導光板１７４を配置し、この導光板１７４の裏面に第５層目の反射フィルム１７５を配置することで、５層構造のパネルで構成されている。さらに、液晶表示装置２７は、液晶パネル駆動用のＩＣを搭載したテーブルキャリアパッケージ（ＴＣＰ）からなり液晶パネル１７３の端子部に接続したフレキシブル基板（図示せず）等を含んで構成されており、液晶表示装置２７は、左リール３Ｌ、中リール３Ｃ、右リール３Ｒとは、別体で所定の間隔をあけて、左リール３Ｌ、中リール３Ｃ、右リール３Ｒの前面に配設されている。
【００３４】
保護ガラス１７１及び表示板１７２は、透光性部材によって構成されている。保護ガラス１７１は、液晶パネル１７３を保護すること等を目的として設けられており、表示板１７２は、パネル表示部３９（図１参照）に対応する領域には、画像が描かれている。なお、この図では、パネル表示部２ａに対応する表示板１７２の領域の裏側に配置される各種表示部及びメダル投入表示ランプ９ａから９ｃを動作させる電気回路を省略して図示している。
【００３５】
液晶パネル１７３は、薄膜トランジスタ層が形成されたガラス板などの透明な基板と、これに対向する透明な基板との間隙部に液晶を封入して形成されている。この液晶パネル１７３の表示モードは、ノーマリーホワイトに設定されている。ノーマリーホワイトとは、液晶を駆動していない状態で白表示、すなわち、表示面側に光が透過し、透過した光が外部から視認される構成である。ノーマリーホワイトに構成された液晶パネル１７３を採用することにより、液晶を駆動できない事態が生じた場合であっても、左リール表示窓４Ｌ、中リール表示窓４Ｃ、右リール表示窓４Ｒを通して、変動表示あるいは停止表示している左リール３Ｌ、中リール３Ｃ、右リール３Ｒ上に配置された図柄を視認することができ、遊技を継続することができる。なお、液晶パネル１７３は、演出画像などの画像を表示するものでもある。
【００３６】
導光板１７４は、端面に配置された冷陰極管（冷陰極ランプ）１７６ａ、１７６ｂから照射される光を液晶パネル１７３へ導き出すことで液晶パネル１７３を照明すべく、液晶パネル１７３の裏側に配設されており、例えば２ｃｍ程度の厚さを有するアクリル系樹脂などの導光機能を有する透光性部材によって構成されている。
【００３７】
導光板１７４は、図４にその詳細な構造が示されるように、裏面に、冷陰極管１７６ａ、１７６ｂからの光を液晶パネル１７３に導くための光偏向パターンＡが形成されており、左リール３Ｌ、中リール３Ｃ、右リール３Ｒに対向して位置する部位が透過領域として切り抜かれている。そして、この当該切り抜かれた部位（それぞれ、リール窓部４０Ｌ、４０Ｃ、４０Ｒという）の内法に当たる端面には、ブラスト加工やサンドペーパによる微細粗面を形成する光散乱加工が施されており（光散乱加工面１７４ａ、１７４ｂ、１７４ｃ）、この光散乱加工面１７４ａ、１７４ｂ、１７４ｃで可視光線が散乱してあたかも発光するかのようにしている。また、斜視図で示した光散乱加工面１７４ａ、１７４ｂ、１７４ｃは、各々内側端面の２箇所（左端面と底部端面）が示されているが、実際はリール窓部４０Ｌ、４０Ｃ、４０Ｒの各右端面や各頂部端面にも同様の光散乱加工面が設けられている。但し、適宜選択的に右端面、左端面、底部端面、頂部端面の中から１又は複数の端面に光散乱加工面を設けてもよいことは勿論である。
【００３８】
ここで、ブラスト加工とは、研磨材等の粒子を端面に高速で衝突させ、凹凸処理を行うことをいう。あるいはバリ取りを行う場合もある。なお、図４は、導光板を遊技機内部（左リール３Ｌ、中リール３Ｃ、右リール３Ｒ側、即ち、遊技機の正面から見て裏面側）から見た図である。
【００３９】
このことにより、ブラスト加工による光散乱加工面１７４ａ、１７４ｂ、１７４ｃが、金型等により光偏向パターンを形成することが難しいリール窓部４０Ｌ、４０Ｃ、４０Ｒのバックライトの役割を果たす。これにより、液晶パネル１７３の発色が良くなり、リールバックライトのＲＧＢ−ＬＥＤの発光ムラを打ち消すことができる。更に、左リール３Ｌ、中リール３Ｃ、右リール３Ｒ自体への照明にもなり、左リール３Ｌ、中リール３Ｃ、右リール３Ｒの図柄が鮮やかに表現される。また、補助光を必要としないため、その分構造が単純となり、またコストを抑えることができる。さらに、補助光の駆動回路（インバータ等）によるノイズの発生が無くなる。
【００４０】
なお、上記した実施の形態によれば、導光板１７４の切り抜かれた部位の端面にプラスト加工を施し端面から発光することとしたが、導光板１７４を、例えば射出成型によって生産する場合は、ブラスト加工を施すことなく、光を偏向させるパターンを形成することができる。一例をあげると、金型に溝・コーンカット等の微細加工を施し、射出成型で導光板１７４表面に、光散乱形状としての光偏向パターンを転写することにより、光を偏向させるパターンが形成されてもよい。この成型品には、出光面側に微細Ｖ溝が転写される。
【００４１】
このことにより、前述のように、光を散乱させる散乱パターンが転写された端面としての光散乱加工面１７４ａ、１７４ｂ、１７４ｃが、リール窓部４０Ｌ、４０Ｃ、４０Ｒのバックライトの役割を果たす。
【００４２】
図５は、液晶パネル１７３、導光板１７４とリール３Ｌ、リール３Ｃ、リール３Ｒとの位置関係を説明するための断面図である。これらは、遊技者側すなわち図中左側から、液晶パネル１７３、導光板１７４、リール（リール３Ｌ、リール３Ｃ、リール３Ｒ）の順で配置されるが、リールの液晶パネル側の一部をリール窓部４０Ｌ、４０Ｃ、４０Ｒに挿入することなく配置した場合には、液晶パネル１７３に対してリール３Ｌ、リール３Ｃ、リール３Ｒが導光板１７４の厚さだけ奥まっている印象を遊技者に与えてしまい、また、液晶表示装置２７で、入賞ラインの表示やリール上の図柄と、液晶表示とを重ね合わせる演出表示をしたときに、遊技者が液晶表示装置２７を斜めから目視したならば、リール上の図柄と液晶表示とに視差によるズレが生ずることがあった。
【００４３】
しかしながら、本実施の形態によれば、図５に示すとおり、リール３Ｌ、リール３Ｃ、リール３Ｒの液晶パネル側の一部をリール窓部４０Ｌ、４０Ｃ、４０Ｒに挿入して配置しているので、リールが奥まった印象を払拭することができるだけでなく、遊技者が液晶表示装置２７を斜めから目視する場合であっても、リール上の図柄と液晶表示との視差によるズレを少なくさせる効果を奏する。
【００４４】
また、液晶パネル１７３を大きくして、例えば１５インチから２０インチに画面面積を増やした場合には、単位面積当たりの光量を維持するために発光手段である冷陰極管１７６ａ、１７６ｂを奥行き方向に複数設ける（例えば１本から３本に増す）必要がある。これに伴い、増設した冷陰極管の分だけ導光板１７４を厚くする必要がある。この場合、リールの液晶パネル側の一部をリール窓部４０Ｌ、４０Ｃ、４０Ｒに挿入することなく配置したならば、上述のリールの奥まった印象やリール上の図柄と液晶表示との視差によるズレは一層大きくなるため、本実施の形態であるリールの液晶パネル側の一部をリール窓部４０Ｌ、４０Ｃ、４０Ｒに挿入して配置することの効果は、冷陰極管１７６ａ、１７６ｂを奥行き方向に複数設ける場合、特に大きいといえる。
【００４５】
なお、本実施の形態では導光板１７４が透過領域として切り抜かれた部位を例示したが、導光板１７４にリール３Ｌ、リール３Ｃ、リール３Ｒ側から切削若しくは成形することにより、凹部を設けて、この凹部にリール３Ｌ、リール３Ｃ、リール３Ｒの一部を挿入してもよい。
【００４６】
説明を図３に戻す。冷陰極管１７６ａ、１７６ｂ（画面容量が大きい場合は奥行き方向に複数配置される）は、全ての波長の光を人の目に特定の色彩が目立たない割合で含む白色光源として構成されており、冷陰極管１７６ａは図中（鉛直方向に立てて配置された）導光板１７４の上端部に沿って、１７６ｂは図中導光板１７４の下端部に沿って、それぞれ配設されており、冷陰極管１７６ａ、１７６ｂの両端は不図示のランプホルダにより支持されている。この冷陰極管１７６ａ、１７６ｂは、液晶パネル１７３の領域のうち主として演出表示領域に対応する領域の照明手段として機能する。すなわち、冷陰極管１７６ａ、１７６ｂは、導光板１７４に導入する光を発生する。
【００４７】
反射フィルム１７５は、例えば白色のポリエステルフイルムやアルミ薄膜に銀蒸着膜をスパッター形成したものが用いられ、導光板１７４に導入された光を導光板１７４の正面側、すなわち、液晶パネル１７３の方向に向けて反射させる。この反射フィルム１７５には、反射領域１７７及び非反射領域としての左リール表示窓４Ｌ、中リール表示窓４Ｃ、右リール表示窓４Ｒが形成されている。
【００４８】
左リール表示窓４Ｌ、中リール表示窓４Ｃ、右リール表示窓４Ｒの各々は、左リール表示窓４Ｌがリール３Ｌに、中リール表示窓４Ｃがリール３Ｃに、右リール表示窓４Ｒはリール３Ｒに、それぞれ対応している。各表示窓は、入射した光を反射することなく透過させる光透過表示部として形成され、リール３Ｌ、リール３Ｃ、リール３Ｒの回転が停止した場合に表示される図柄の各々の前方に位置し、リール３Ｌ、リール３Ｃ、リール３Ｒとも、停止表示の際に上段、中段、下段に合わせて３種づつ図柄を表示できる大きさで設けられている。反射領域１７７は、入射した光を反射し、前面に配置されている液晶パネル１７３の領域のうち、主として演出表示領域に対応する領域の照明手段の一つとして機能する。この構成によれば、遊技者は、反射手段の光透過表示部を通してリール３Ｌ、リール３Ｃ、リール３Ｒの変動表示及び停止表示を視認し得るので、リール３Ｌ、リール３Ｃ、リール３Ｒ及び液晶表示装置２７の表示態様により遊技を楽しむことができる。
【００４９】
図６は、本発明の実施の形態である遊技機の演出態様の模式図である。各リールの停止順序を遊技者に知らせる停止報知の表示態様を示している。遊技機の液晶表示装置２７は、前述のように前面から順番に、保護ガラス、表示板、液晶パネル、導光板および反射フィルムを配置した構造のパネルで構成することができる。
【００５０】
図６に示すように、液晶表示装置２７の底部には図中左から順に仮想の光源４３Ｌ、４３Ｃ、４３Ｒが配置されている。仮想の光源４３Ｌからは、光透過表示部としてのサーチライト画像４４が配設されており、このサーチライト画像４４は、仮想の光源４３Ｌの上方に配設されているリール３Ｌを照射する画像として構成されている。サーチライト画像４４は、リール３Ｌの左リール表示窓４Ｌ、中リール表示窓４Ｃ、右リール表示窓４Ｒの領域外から領域内に至る画像であり、当該表示領域内の部分の表示を透過させリール図柄と、重ねて表示することで、（図６の場合）リール３Ｌの図柄を透過表示する。これにより、遊技者に対してリールの停止順序を報知し、遊技者のボタン操作を促すよう構成されている。
【００５１】
また、図６に示す場合は、液晶表示装置２７のサーチライト画像４４以外の画像領域である非透過表示領域４５と、リール３Ｃ及びリール３Ｒのリール表示窓の表示領域と、を重ね合わすことで、変動表示中のリール３Ｃ及びリール３Ｒを視認することができないように構成されている。
【００５２】
このとき、サーチライト画像４４と左リール表示窓４Ｌが重なった部分からリール３Ｌを見通すことができる。
【００５３】
この実施の形態では、サーチライト画像４４と各リール表示窓４Ｌ、４Ｒ、４Ｃとが重なった部分は、サーチライトに照らされたかのようにリールを見通すことができる。このとき、液晶パネルの上下に配置されているバックライト用の冷陰極管とは別にリール窓部を照らす蛍光管がなくても、切り抜き部の端面（例えば、リール窓部４０Ｌの端面１７４ａ）に施された光散乱加工のため、リールが明るく照らされる。
【００５４】
本実施の形態の遊技機は、遊技の入賞形態に応じた図柄組合せに関してリールを用いて各列に停止表示する機械的変動表示装置と、発光体からの光を液晶パネルに導く光偏向パターンが形成された導光板の、リールに対向して位置する部位に切り抜き、又は、凹部が設けられ、当該切り抜き、又は、凹部の端面に光散乱加工を施して成る液晶表示装置とを備えるため、リール窓部の上下に蛍光管を設ける必要がなくなり、リール窓部からの光量不足により液晶表示およびリールが暗くなるのを防ぐ遊技機を提供することができる。
【００５５】
さらに、本実施の形態においては、導光板１７４のリールが対向する部位には、導光板を貫通する切り抜き又はリールに面した側から凹部が形成され、切り抜き又は凹部には、光偏向パターンＡが施されておらず、切り抜き又は凹部の端面には、照明手段からの光を出射するための光散乱加工が施されており、切り抜き又は凹部の端面（例えば、光散乱加工面１７４ａ）から液晶パネル１７３への光の出射度は、光偏向パターンＡが施された領域から液晶パネル１７３への光の出射度と同程度であるようにすることもできる。
【００５６】
具体的な説明は、以下の通りである。ここでは、導光板１７４に、上記切り抜き（リール窓部）が形成された場合を例にして説明するが、リールに面した側から凹部が形成された場合も、同様に適用できる。上述したように、導光板１７４の裏面には、光偏向パターンＡが施されており、上記切り抜きの部分には、光偏向パターンＡが施されていない。
【００５７】
なお、光散乱加工面１７４ａ、１７４ｂ、１７４ｃにおいては、例えば、冷陰極管１７６ａ、１７６ｂからの光を液晶パネル１７３又はリールへ出射するための複数の格子状の領域である格子領域と、各格子状領域の間の領域である間隔領域とが設けられるようにしてもよい。冷陰極管１７６ａ、１７６ｂから出射された光が、格子領域に当たると、格子領域から、光が液晶パネル１７３又はリールに向けて出射されるようにしてもよい。一方、冷陰極管１７６ａ、１７６ｂから出射された光が、間隔領域に当たると、液晶パネル１７３又はリールへ出射されないで、反射して導光板の中に留まる。
【００５８】
冷陰極管１７６ａ、１７６ｂから出射された光は、光散乱加工面１７４ａ，１７４ｂ，１７４ｃに当たると、例えば、一部の光は、リール側に出射され、一部の光は、液晶パネル１７３側に出射される。
【００５９】
ここで、光散乱加工面１７４ａ、１７４ｂ、１７４ｃは、以下の条件を満たすように形成されてもよい。この条件とは、例えば、各光散乱加工面における単位面積当たりの液晶パネルへの光の出射量（出射度の一例、例えば、リール窓部４０Ｌに対応する切り抜きの端面に形成された光散乱加工面１７４ａから液晶パネルへの光の出射量を上記切り抜きの面積で割った値）が、光偏向パターンＡにおける単位面積当たりの液晶パネルへの光の出射量（出射度の一例、例えば、光偏向パターンＡから液晶パネルへの光の出射量を光偏向パターンＡが施された面積で割った値）と略同じになるという条件である。
【００６０】
具体的には、光散乱加工面１７４ａ、１７４ｂ、１７４ｃにおいて、上記単位面積当たりの間隔領域に対する格子状領域の数や大きさの割合を、上述の条件を満たす所定値となるように、光散乱加工面１７４ａ、１７４ｂ、１７４ｃが形成されてもよい。
【００６１】
このように構成された導光板１７４においては、各切り抜き（リール窓部４０Ｌ、４０Ｃ、４０Ｒ）の端面に設けられた光散乱加工面１７４ａ，１７４ｂ，１７４ｃから液晶パネルへの光の出射度は、光偏向パターンＡが施された領域から液晶パネルへの光の出射度と同程度となるので、リール窓部に対応する液晶表示の領域の明るさと、それ以外の液晶表示の領域の明るさが同程度となり、液晶表示における明るさの均一化を図ることができる。
【００６２】
また、本実施の形態の遊技機は、遊技の入賞形態に応じた図柄組合せに関してリールを用いて各列に停止表示する機械的変動表示装置と、発光体からの光を液晶パネルに導く光偏向パターンが転写された導光板の、リールに対向して位置する部位に切り抜き、又は、凹部が設けられ、当該切り抜き、又は、凹部の端面に散乱パターンを転写して成る液晶表示装置とを備えるので、リール窓部の上下に蛍光管を設ける必要がなく、若しくは小型の蛍光管を設ければ足りる。
【００６３】
さらに、本実施の形態の遊技機は、切り抜き、又は、前記凹部にリールの液晶パネル側の一部を挿入するので、リールを遊技者に接近させるフロント空間を形成することができ、リールと遊技者との距離をより接近させることができるため、迫力のある遊技機を提供することができる。
【００６４】
さらにまた、遊技者が液晶表示装置２７を斜めから目視する場合であっても、リール上の図柄と液晶表示装置２７上の液晶表示との視差によるズレを少なくさせることができる。
【００６５】
なお、上述の導光板１７４において、光偏向パターンＡを施さない部分は、上述したように、３つのリールに対応してそれぞれ設けられる場合に限定されず、例えば、３つのリールに対応する１つの、光偏向パターンを施さない部分が設けられてもよい。図７，図８は、本変更例の他の導光板１７４を示す図である。
【００６６】
図７に示すように、導光板１７４において、３つのリールを視認可能にするための部分をくり抜き、くり抜かれた部分自体においては、光偏向パターンＡが施されず、端面１７４ａにのみ、光散乱加工が施されるようにしてもよい。
【００６７】
また、図８に示すように、３つのくり抜き部分４０Ｌ、４０Ｒ、４０Ｃの間に設けられた部分１７４ｘに、光偏向パターンＡが施されないようにしてもよい。
【００６８】
なお、図４，図７，図８に示す上述の実施例、変更例の導光板において、光偏向パターンＡは、導光板１７４の発光をより均一にするために、例えば、冷陰極管１７６ａ、１７６ｂに近い部位では、光偏向パターンＡを粗く施し（後述する格子領域１７４ｊの間隔が広くなるように施し）、冷陰極管１７６ａ、１７６ｂから遠い部位（領域）、つまり、導光板１７４の中央付近に近づくに連れて光偏向パターンＡを細かくする（例えば、後述する格子領域１７４ｊの間隔を狭くする）など、部位により光偏向パターンＡの粗さを異ならせて施してもよい。
【００６９】
図９、図１０，図１１は、本変更例の導光板１７４の裏面の様子を示す図である。導光板１７４の裏面においては、導光板１７４の端部１７４ｆから中央近傍部１７４ｇまでの所定の領域（例えば、導光板１７４の裏面のうち、リール窓部の領域を除いた領域）において、上記端部１７４ｆからの距離が大きくなるに従い、光偏向パターンＡにおける液晶パネル１７３へ光を出射する部分の割合が高くなるように、光偏向パターンＡが施されている。具体的な説明は、以下の通りである。
【００７０】
図１０は、図９における導光板の端部１７４ｆの近傍の領域Ｘ（下側の領域Ｘ）を拡大した様子を示す図であり、図１１は、図９における導光板の中央近傍部１７４ｇの領域Ｙを拡大した様子を示す図である。
【００７１】
図９、図１０に示すように、光偏向パターンＡは、冷陰極管１７６ａ、１７６ｂからの光を液晶パネル１７３へ出射するための複数の格子状の領域（以下、格子領域１７４ｊ）と、各格子領域１７４ｊの間の領域（以下、間隔領域１７４ｋ）とを有する。冷陰極管１７６ａ、１７６ｂから出射された光が、格子領域１７４ｊに当たると、格子領域１７４ｊから、光が液晶パネル１７３に向けて出射される。一方、冷陰極管１７６ａ、１７６ｂから出射された光が、間隔領域１７４ｋに当たると、光が液晶パネル１７３に向けて出射されないで、第２の光偏向パターン内に留まる。
【００７２】
そして、導光板１７４の裏面に設けられた光偏向パターンＡにおいて、単位面積中の間隔領域１７４ｋの大きさに対する格子領域１７４ｊの大きさの割合が全ての領域で同じである場合には、端部１７４ｆの近傍の領域にて、冷陰極管１７６ａ、１７６ｂから出射された多くの光が、格子領域１７４ｊを介して、液晶パネル１７３に向けて出射されてしまい、中央近傍部１７４ｇの領域にて、格子領域１７４ｊを介して、液晶パネル１７３に向けて出射される光が少なくなってしまう。この場合には、遊技者は、導光板１７４が全面的にだいたい均一に光っていると視認するものの、端部１７４ｆと、中央近傍部１７４ｇとでは、発光具合が異なると視認するようになり、液晶表示の明るさのムラがあると感じることになる。本変更例では、以下のようにして、上記不都合を解消している。
【００７３】
図１０、図１１に示すように、光偏向パターンＡにおいて、端部１７４ｆの近傍の領域における単位面積中の間隔領域１７４ｋの大きさに対する格子領域１７４ｊの大きさの割合は、中央近傍部１７４ｇの近傍の領域における単位面積中の間隔領域１７４ｋの大きさに対する格子領域１７４ｊの大きさの割合より小さくなっている。言い換えると、図１１では、格子領域１７４ｊの大きさが大きく、間隔領域１７４ｋの大きさや幅は小さいのに対して、図１０では、格子領域１７４ｊの大きさが小さく、間隔領域１７４ｋの大きさや幅が大きくなっている。
【００７４】
このため、本変更例によれば、端部１７４ｆの近傍の領域にて、格子領域１７４ｊを介して、液晶パネル１７３に向けて出射される光の量は、抑えられ、中央近傍部１７４ｇの領域にて、格子領域１７４ｊを介して、液晶パネル１７３に向けて出射される光の量を多くすることができる。このように構成された光偏向パターンＡを用いることにより、端部１７４ｆの近傍の領域にて、格子領域１７４ｊを介して、液晶パネル１７３に向けて出射される単位面積当たりの光の量と、中央近傍部１７４ｇの領域にて、格子領域１７４ｊを介して、液晶パネル１７３に向けて出射される単位面積当たりの光の量とを同程度にすることが可能となる。この結果、液晶表示が行われる際、リール窓部４０Ｌ、４０Ｃ、４０Ｒに対応する領域以外の領域において、場所によらず、明るさが，より一層，均一な発光が行われる。
【００７５】
以上、本発明の実施形態の一例、その変更例を説明したが、具体例を例示したに過ぎず、特に本発明を限定するものではなく、各手段の具体的構成等は、適宜設計変更可能である。また、発明の実施の形態やその変更例に記載された作用及び効果は、本発明から生じる最も好適な作用及び効果を列挙したに過ぎず、本発明による作用及び効果は、本発明の実施の形態やその変更例に記載されたものに限定されるものではない。
【図面の簡単な説明】
【００７６】
【図１】本実施の形態のスロットマシンの正面斜視図である。
【図２】リール上に配列された図柄の例を示す図である。
【図３】液晶表示装置の分解斜視図である。
【図４】導光板の詳細構造を示す図である。
【図５】導光板とリールの配置を断面形状で示した図である。
【図６】本実施の形態の演出を示す模式図である。
【図７】本変更例の導光板の裏面図である。
【図８】本変更例の他の導光板の裏面図である。
【図９】本変更例の他の導光板の裏面図である。
【図１０】本変更例の他の導光板の裏面の一部を拡大した様子を示す図である。
【図１１】本変更例の他の導光板の裏面の一部を拡大した様子を示す図である。
【符号の説明】
【００７７】
１・・・遊技機
３Ｌ、３Ｃ、３Ｒ…リール
４Ｌ…左リール表示窓
４Ｃ…中リール表示窓
４Ｒ…右リール表示窓
６…スタートレバー
７Ｌ、７Ｃ、７Ｒ…リール停止ボタン
１７…告知ランプ
２７…液晶表示装置
１７４…導光板
１７４ａ、ｂ、ｃ…光散乱加工面
１７４ｆ…端部
１７４ｇ…中央近傍部
１７４ｊ…格子領域
１７４ｋ…間隔領域。
【図１】
0003710805.tif 000002
【図２】
0003710805.tif 000003
【図３】
0003710805.tif 000004
【図４】
0003710805.tif 000005
【図５】
0003710805.tif 000006
【図６】
0003710805.tif 000007
【図７】
0003710805.tif 000008
【図８】
0003710805.tif 000009
【図９】
0003710805.tif 000010
【図１０】
0003710805.tif 000011
【図１１】
0003710805.tif 000012